(57)【要約】【課題】キッチンキャビネットのカウンターのスペースを容易に拡張することができるとともに、使い勝手のよいキッチンキャビネットを提供する。【解決手段】シンク２を備えたキッチンカウンター１に補助カウンター３を出没自在に収納してなるキッチンキャビネットＡであって、該補助カウンター３はキッチンカウンター１後方の後壁面Ｗａにその先端部を固定され、上記キッチンキャビネットＡを前後に往復移動することにより相対的に伸縮し、上記補助カウンター３の広さが可変とされた補助カウンター付きキッチンキャビネット。【選択図】図１
2008036056.tif 000002
【特許請求の範囲】
【請求項１】
シンクを備えたキッチンカウンターに補助カウンターを出没自在に収納してなるキッチンキャビネットであって、該補助カウンターはキッチンカウンター後方の後壁面にその先端部を固定され、上記キッチンキャビネットを前後に往復移動することにより相対的に伸縮し、上記補助カウンターの広さが可変とされた補助カウンター付きキッチンキャビネット。
【請求項２】
上記キッチンキャビネットの底面にキャスタを設けるとともに、電動により手前方向と後方向に往復移動する請求項１に記載の補助カウンター付きキッチンキャビネット。
【請求項３】
上記キッチンカウンター内に補助カウンター収納部が鞘構造で凹設された請求項１に記載の補助カウンター付きキッチンキャビネット。
【発明の詳細な説明】
【技術分野】
【０００１】
本発明は、キッチンキャビネットに関する。さらに詳しくは、補助カウンターを設けてカウンター面積を拡張し得るとともに、作業性よく調理をすることのできるキッチンキャビネットに関する。
【背景技術】
【０００２】
従来、調理作業をし易いように、必要に応じて、キッチンキャビネットのカウンターのスペースを拡張しうるように配慮されたキッチンキャビネットは公知であり、例えば、下記特許文献１をあげることができる。下記特許文献１には、スライドレールに案内され、キッチンキャビネットの後方へスライド自在に引き出される水平プレートを備えたキッチンキャビネットが開示されている。そして、水平プレートの引出し方向先端側にはプレート状の脚が連結されており、この脚の下部にはロック機能付きの車輪が設けられているため、この水平プレートは傾くことなく、しかも滑らかに出し入れできる等の効果がある旨記載されている。
【特許文献１】実開平７−１８３５号公報（第１〜２頁、第１図、第４図）
【発明の開示】
【発明が解決しようとする課題】
【０００３】
しかしながら、上記特許文献１に記載のキッチンキャビネットにおいては、水平プレートがカウンターの後方へ引き出し自在に設けられているため、この水平プレートを使うときには、カウンターの正面から後ろ側へ回らなければならず、また、使用後に収める場合も同様に後ろ側へ回る必要があり、不便であるという問題がある。本発明は、このような問題を解決するためになされたものであり、キッチンキャビネットのカウンターのスペースを容易に拡張することができるとともに、使い勝手のよいキッチンキャビネットを提供することを、その課題とする。
【課題を解決するための手段】
【０００４】
上記課題を解決するために、本発明においては、つぎのような技術的手段を講じている。すなわち、請求項１に記載の発明によれば、シンクを備えたキッチンカウンターに補助カウンターを出没自在に収納してなるキッチンキャビネットであって、該補助カウンターはキッチンカウンター後方の後壁面にその先端部を固定され、上記キッチンキャビネットを前後に往復移動することにより相対的に伸縮し、上記補助カウンターの広さが可変とされた補助カウンター付きキッチンキャビネットが提供される。上記補助カウンターは、キッチンカウンターの主カウンター部の後方に部分的に、出没自在、かつ、伸縮自在に付設されるとともに、キッチンカウンターの全幅に亘り、その後方に出没自在、かつ、伸縮自在に付設することもできる。上記キッチンキャビネットの前後の往復移動は、手動、電動等、とくに限定されるものではない。
【０００５】
請求項２に記載の補助カウンター付きキッチンキャビネットは、請求項１に記載の発明に加えて、上記キッチンキャビネットの底面にキャスタを設けるとともに、電動により手前方向と後方向に往復移動することが好ましい。また、手近な場所にリモートコントローラを設け、リモートコントローラにより電動機構をコントロールし、キッチンキャビネットを所望の位置に移動・停止させることが好ましい。
【０００６】
請求項３に記載の補助カウンター付きキッチンキャビネットは、請求項１に記載の発明に加えて、上記キッチンカウンター内に鞘構造で補助カウンター収納部を凹設することが好ましい。
【発明の効果】
【０００７】
請求項１に記載の発明にかかる補助カウンター付きキッチンキャビネットは上記のとおりであり、補助カウンターがキッチンカウンター後方の後壁面にその先端部を固定されるとともに、該キッチンカウンターに出没自在、かつ、相対的に伸縮自在に収められ、キッチンキャビネット自体を手前方向と後方向に往復移動することにより、上記補助カウンターの広さが相対的に可変とされているため、従来技術におけるように、後方に回って補助カウンターを引出してセットする必要はない。したがって、使用者とキッチンキャビネットの正面の相対的な位置は不変であり、便利に補助カウンターを出没、かつ、伸縮させ、所望の広さで上記補助カウンターを使用することができる。
【０００８】
請求項２に記載の補助カウンター付きキッチンキャビネットは上記のとおりであり、請求項１の補助カウンター付きキッチンキャビネットの有する効果に加え、上記キッチンキャビネットの底面にキャスタを設けるとともに、電動により手前方向と後方向に往復移動できるため、高齢者、女性等、力の弱い使用者でもコントローラを操作することにより、補助カウンターが所望の広さとなるように簡単に、キッチンキャビネットを所望の位置に移動することができる。
【０００９】
請求項３に記載の補助カウンター付きキッチンキャビネットは上記のとおりであり、請求項１の補助カウンター付きキッチンキャビネットの有する効果に加え、上記キッチンカウンター内に補助カウンター収納部が鞘構造で凹設されているため、補助カウンターを使用しないときは、補助カウンターをキッチンカウンター内に収め、補助カウンターを使用するときは、所望の広さとなるように補助カウンター収納部から伸長させ、便利にキッチンカウンターを使用できる。
【発明を実施するための最良の形態】
【００１０】
以下、本発明の実施形態について図面を参照して詳細に説明する。図１は、本発明の第１実施形態にかかる補助カウンター付きキッチンキャビネットを示す部分断面斜視図である。図１に示すように第１実施形態にかかるキッチンキャビネットＡのキッチンカウンター１にはシンク２が設けられ、主カウンター部１１内には、補助カウンター３を出没自在、かつ、伸縮自在に収める鞘構造の補助カウンター収納凹部４が凹設されている。また、補助カウンター３の引き出し方向の先端部は起立させて起立先端部３１とするとともに、キッチンキャビネットＡの背後の後壁面Ｗａに固定用ビス９で固定されている。さらに、上記キッチンキャビネットＡは、図外電動機構により、床面Ｆの上を容易に手前方向と後方向に往復移動できるように、その底面にキャスタ５が設けられている。
【００１１】
図２は、補助カウンター３を使用しない通常の状態における本発明の補助カウンター付きキッチンキャビネットを示す部分断面説明図である。図２に示すように、上記の状態においては、補助カウンター３は主カウンター部１１内に凹設された補助カウンター収納凹部４に収納され、上記起立先端部３１はバックガードの役目を果たす。また、補助カウンター３を使用するときは、キッチンルームの側壁面Ｗｂに設けられたリモートコントローラ６を操作する。すなわち、リモートコントローラ６により図外電動機構を稼働させ、補助カウンター３のスペースが所望の広さとなるように、キッチンキャビネットＡを手前の方向に矢印にしたがって床面Ｆ上を移動させる。
【００１２】
図３は、図２においてキッチンキャビネットＡを矢印の方向に床面Ｆ上を水平移動させた後の状態を示す部分断面説明図である。図３に示されているように、キッチンキャビネットＡを手前方向に移動することにより、補助カウンター３は相対的に伸長してカウンターのスペースが広くなる。かくして、図１に示すように主カウンター部１１と共に調理材料の載置用、あるいは盛り付け用のスペースを広くとることが可能となり、作業性よく調理作業を行うことができる。
【００１３】
図４は、本発明の第２実施形態にかかる補助カウンター付きキッチンキャビネットＢを示す部分断面斜視図である。本実施形態においては、キッチンカウンター１の全幅に亘って補助カウンター７が付設されている。このように、補助カウンター７を幅広に設けることによってキッチンカウンター１と合わせてカウンターのスペースを広くとることが可能となり、第１実施形態と同様に、調理作業を作業性よく行うことができる。
【００１４】
また、補助カウンター７を使用せず、通常の状態で上記キッチンキャビネットＢを使用するときは、第１実施形態における場合と同様に、リモートコントローラ６を操作して図外電動機構により、キッチンキャビネットＢを矢印の方向に水平移動させ、補助カウンター７を補助カウンター収納部８に収める。このとき、シンク２の排水口につながる排水管あるいは、シンク２への水道配管等は、キッチンキャビネットＢの水平移動に追従できるように、フレキシブルな、例えば、蛇腹構造の配管が用いられる。なお、補助カウンター７を補助カウンター収納部８に収めたとき、シンク２は支障にならないものである。
【００１５】
かくして、後壁面Ｗａに固定された起立先端部７１はバックガードを構成するとともに、補助カウンター７を伸ばして使用するときの固定部として機能する。以上述べたように本発明は種々設計変更可能であり、特許請求の範囲を逸脱しない限り、いずれも本発明の技術的範囲に属する。
【図面の簡単な説明】
【００１６】
【図１】本発明の第１実施形態にかかる補助カウンター付きキッチンキャビネットを示す部分断面斜視図である。
【図２】補助カウンターを使用しない通常の状態における本発明の補助カウンター付きキッチンキャビネットを示す部分断面説明図である。
【図３】図２においてキッチンキャビネットを矢印の方向に床面の上を水平移動させた後の状態を示す部分断面説明図である。
【図４】本発明の第２実施形態にかかる補助カウンター付きキッチンキャビネットを示す部分断面斜視図である。
【符号の説明】
【００１７】
Ａ          第１実施形態にかかるキッチンキャビネット
Ｂ          第２実施形態にかかるキッチンキャビネット
１          キッチンカウンター
１１        主カウンター部
２          シンク
３          第１実施形態にかかる補助カウンター
３１        起立先端部
４          補助カウンター収納凹部
５          キャスタ
６          リモートコントローラ
７          第２実施形態にかかる補助カウンター
７１        起立先端部
８          補助カウンター収納凹部
９          固定用ビス
Ｆ          床面
Ｗａ        後壁面
Ｗｂ        側壁面
【図１】
2008036056.tif 000003
【図２】
2008036056.tif 000004
【図３】
2008036056.tif 000005
【図４】
2008036056.tif 000006